(57)【要約】【課題】ケース本体内に、印鑑収納部と指紋押印用印褥体と朱肉用印褥体が配置してある印鑑等の収納ケースを提供する。【解決手段】上方を開口したケース本体１の内部に、印鑑収納部４と指紋押印用印褥体５と朱肉用印褥体６を配置し、前記開口をケース本体１の一側縁に位置する軸芯８に軸支されて回動する蓋体２により開閉自在とした印鑑等の収納ケースであって、前記ケース本体１と蓋体２の間に、前記軸芯８に回動自在に軸支され、かつ印鑑収納部４と朱肉用印褥体６を隠ぺいして指紋押印用印褥体５のみを露出させるように前記開口を覆う内蓋３を設け、また、前記印鑑収納部４には前記内蓋３を開くよう回動したのに連動して、前記軸芯８を中心に回動し印鑑Ｓを押し上げるように作動する押上部材１０を設けた。【選択図】図５
2015134441.tif 000002
【特許請求の範囲】
【請求項１】
上方を開口したケース本体の内部に、印鑑収納部と指紋押印用印褥体と朱肉用印褥体を配置し、前記開口をケース本体の一側縁に位置する軸芯に軸支されて回動する蓋体により開閉自在とした印鑑等の収納ケースであって、前記ケース本体と蓋体の間に、前記軸芯に回動自在に軸支され、かつ印鑑収納部と朱肉用印褥体を隠ぺいして指紋押印用印褥体のみを露出させるように前記開口を覆う内蓋を設け、また、前記印鑑収納部には前記内蓋を開くよう回動したのに連動して、前記軸芯を中心に回動し印鑑を押し上げるように作動する押上部材を設けたことを特徴とする印鑑等の収納ケース。
【請求項２】
押上部材は、軸芯を挿通するヒンジ部と印鑑の胴部を保持する弧状保持部を有し、前記ヒンジ部の外周には、軸方向に凸条が形成されており、この凸条が内蓋のヒンジ部の軸方向一端に設けた断面が半円弧状の係止片に係合し、前記内蓋の回動に連動して押上部材が回動して押し上げられるように構成されている請求項１に記載の印鑑等の収納ケース。
【請求項３】
押し上げた押上部材を下方へ強く押すと、押上部材のヒンジ部外周の凸条が内蓋の係止片の先端の凸条を乗り越えて下方へ回動し、押上部材が印鑑収納部内に収納されるように構成されている請求項２に記載の印鑑等の収納ケース。
【請求項４】
押上部材のヒンジ部の軸方向端面には回動規制用の突起部が形成されており、この突起部とケース本体のヒンジ部端面に形成された回動規制用の突起部が当接することによって前記押上部材の回動が規制されるように構成されている請求項１〜３のいずれかに記載の印鑑等の収納ケース。
【発明の詳細な説明】
【技術分野】
【０００１】
本発明は、ケース本体内に、印鑑収納部と指紋押印用印褥体と朱肉用印褥体が配置してある印鑑等の収納ケースに関する。
【背景技術】
【０００２】
従来から、印鑑等の収納ケースとして、ケース本体の内部に印鑑収納部と朱肉用印褥体を配置し、上部の開口をケース本体の一側縁に設けた軸芯に軸支される蓋体の回動により開閉自在としたものが多く知られている（例えば、特許文献１〜３を参照）。
【０００３】
一方、例えば交通警察官等にあっては、交通規則の違反者を発見した場合、現場において違反キップを即座に作成して手渡す必要があるため、前記のような印鑑収納部と朱肉用印褥体が配置されているだけでなく、更に、違反者から指紋を採取するための指紋押印用印褥体が配置された印鑑等の収納ケースを常に携帯している。
しかしながら、蓋体を開くと印鑑収納部と指紋押印用印褥体と朱肉用印褥体の全てが露出するため、違反者が指紋押印用印褥体と間違えて朱肉用印褥体の上に指を載せてしまうという問題や、蓋体を開いたときに印鑑が落下してしまうという問題があった。
【０００４】
また、蓋体を開くと印鑑が自動的に押し上げられると、印鑑の取り出しが便利である。そこで、本発明者は図１５に示されるように、印鑑収納部３１内に印鑑の押上部材３２を設けたものを考案したが、蓋３３を開けて印鑑がない状態のときにケースに衝撃が加わると押上部材３２が蓋側に移動することがあった。この状態で印鑑を収納して蓋３３を閉めると、押上部材３１が印鑑の上に乗ってしまい押上部材３２が破損する場合があるという問題があった。
【０００５】
なお、警察官が違反キップを作成する手順としては、必要事項を記入後に、違反者がキップに指紋を押印し、最後に警察官が印鑑を押印するため、指紋押印用印褥体のみを露出する状態と、印鑑および朱肉用印褥体を露出する状態を別々に作り出すことができる新しいタイプの収納ケースの開発が要望されていた。また、蓋体を開くと印鑑が自動的に押し上げられる機構を有し、かつ押上部材の破損のおそれがないことが求められていた。
【先行技術文献】
【特許文献】
【０００６】
【特許文献１】実開昭５５−１２８７５９号公報
【特許文献２】特開平８−２０７４１１号公報
【特許文献３】特許第２８４２８１５号公報
【発明の概要】
【発明が解決しようとする課題】
【０００７】
本発明は上記のような問題点を解決して、指紋押印用印褥体のみを露出した態様と、印鑑収納部と指紋押印用印褥体と朱肉用印褥体を露出した態様のいずれかを選択可能とし、指紋押印用印褥体と間違えて朱肉用印褥体の上に指を載せることや、蓋体を開いたときに印鑑が落下する現象を確実に防止することができ、また、蓋体を開いたときに印鑑を自動的に押し上げる機構を有しており、しかも印鑑押上部材の破損のおそれがない印鑑等の収納ケースを提供することを目的とするものである。
【課題を解決するための手段】
【０００８】
上記課題を解決するためになされた本発明の印鑑等の収納ケースは、上方を開口したケース本体の内部に、印鑑収納部と指紋押印用印褥体と朱肉用印褥体を配置し、前記開口をケース本体の一側縁に位置する軸芯に軸支されて回動する蓋体により開閉自在とした印鑑等の収納ケースであって、前記ケース本体と蓋体の間に、前記軸芯に回動自在に軸支され、かつ印鑑収納部と朱肉用印褥体を隠ぺいして指紋押印用印褥体のみを露出させるように前記開口を覆う内蓋を設け、また、前記印鑑収納部には前記内蓋を開くよう回動したのに連動して、前記軸芯を中心に回動し印鑑を押し上げるように作動する押上部材を設けたことを特徴とするものである。
【０００９】
前記押上部材は、軸芯を挿通するヒンジ部と印鑑の胴部を保持する弧状保持部を有し、前記ヒンジ部の外周には、軸方向に凸条が形成されており、この凸条が内蓋のヒンジ部の軸方向一端に設けた断面が半円弧状の係止片に係合し、前記内蓋の回動に連動して押上部材が回動して押し上げられるように構成されているものが好ましく、これを請求項２に係る発明とする。
【００１０】
前記押し上げた押上部材を下方へ強く押すと、押上部材のヒンジ部外周の凸条が内蓋の係止片の先端の凸条を乗り越えて下方へ回動し、押上部材が印鑑収納部内に収納されるように構成されているものが好ましく、これを請求項３に係る発明とする。
【００１１】
前記押上部材のヒンジ部の軸方向端面には回動規制用の突起部が形成されており、この突起部とケース本体のヒンジ部端面に形成された回動規制用の突起部が当接することによって前記押上部材の回動が規制されるように構成されているものが好ましく、これを請求項４に係る発明とする。
【発明の効果】
【００１２】
請求項１に係る発明では、上方を開口したケース本体の内部に、印鑑収納部と指紋押印用印褥体と朱肉用印褥体を配置し、前記開口をケース本体の一側縁に位置する軸芯に軸支されて回動する蓋体により開閉自在とした印鑑等の収納ケースであって、前記ケース本体と蓋体の間に、前記軸芯に回動自在に軸支され、かつ印鑑収納部と朱肉用印褥体を隠ぺいして指紋押印用印褥体のみを露出させるように前記開口を覆う内蓋を設け、また、前記印鑑収納部には前記内蓋を開くよう回動したのに連動して、前記軸芯を中心に回動し印鑑を押し上げるように作動する押上部材を設けた構造としたので、蓋体のみを開けて指紋押印用印褥体のみを露出した態様と、蓋体および内蓋を開けて印鑑収納部と指紋押印用印褥体と朱肉用印褥体を露出した態様のいずれかを選択可能となり、指紋押印用印褥体と間違えて朱肉用印褥体の上に指を載せることや、蓋体を開いたときに印鑑が落下する現象を確実に防止することができる。また、内蓋を開くと印鑑が自動的に押し上げられるので取り出しを容易に行うことができる。
【００１３】
請求項２に係る発明では、押上部材は、軸芯を挿通するヒンジ部と印鑑の胴部を保持する弧状保持部を有し、前記ヒンジ部の外周には、軸方向に凸条が形成されており、この凸条が内蓋のヒンジ部の軸方向一端に設けた断面が半円弧状の係止片に係合し、前記内蓋の回動に連動して押上部材が回動して押し上げられるように構成されているので、内蓋を開くと印鑑が自動的に押し上げられて便利である。
【００１４】
請求項３に係る発明では、押し上げた押上部材を下方へ強く押すと、押上部材のヒンジ部外周の凸条が内蓋の係止片の先端の凸条を乗り越えて下方へ回動し、押上部材が印鑑収納部内に収納されるように構成されているので、指紋押印用印褥体や朱肉用印褥体を使用する際に印鑑が邪魔にならないようにスッキリと収納することができる。
【００１５】
請求項４に係る発明では、押上部材のヒンジ部の軸方向端面には回動規制用の突起部が形成されており、この突起部とケース本体のヒンジ部端面に形成された回動規制用の突起部が当接することによって前記押上部材の回動が規制されるように構成されているものとしたので、押上部材の破損の心配をなくすことができる。
【図面の簡単な説明】
【００１６】
【図１】本発明の実施の形態を示す斜視図である。
【図２】蓋体のみを開いた状態を示す斜視図である。
【図３】図１におけるＡ−Ａ断面図である。
【図４】図１におけるＢ−Ｂ断面図である。
【図５】蓋体と内蓋が開かれて印鑑が押し上げられた状態を示す斜視図である。
【図６】図５から印鑑が取り出された状態を示す斜視図である。
【図７】（ａ）は内蓋を示す上方向からの斜視図、（ｂ）は内蓋を示す下方向からの斜視図である。
【図８】（ａ）は押上部材を示す上方向からの斜視図、（ｂ）は押上部材を示す下方向からの斜視図である。
【図９】ケース本体を示す斜視図である。
【図１０】蓋体を閉めた状態における突起部の位置関係を示す説明図である。
【図１１】蓋体を開けた状態における突起部の位置関係を示す説明図である。
【図１２】内蓋を開け、かつ押上部材を印鑑収納部内に収納させた状態を示す斜視図である。
【図１３】押上部材を印鑑収納部内に収納させる前の状態を示す説明図である。
【図１４】押上部材を印鑑収納部内に収納させた状態を示す説明図である。
【図１５】押上部材が蓋側に移動した状態を示す斜視図である。
【発明を実施するための形態】
【００１７】
以下に、図面を参照しつつ本発明の好ましい実施の形態を示す。
図１は、本発明の収納ケースの蓋体を閉じた状態を示す斜視図であり、１はケース本体、２は蓋体である。図２は、蓋体２のみを開いた状態を示す斜視図、図３はＡ−Ａ断面図、図４はＢ−Ｂ断面図である。また、図５は、蓋体と内蓋が開かれて印鑑が押し上げられた状態を示す斜視図、図６は、図５から印鑑が取り出された状態を示す斜視図である。
【００１８】
前記ケース本体１は、上方を開口した箱状の形状であり、その内部には印鑑収納部４と指紋押印用印褥体５と朱肉用印褥体６が配置されている。また、前記ケース本体１の一側縁にはヒンジ部７ａが形成されているとともに軸芯８が挿通されており、この軸芯８に軸支される蓋体２の回動によって前記開口が開閉自在とされている。
【００１９】
なお、ケース本体１の内部に、印鑑収納部４と指紋押印用印褥体５の収納部と朱肉用印褥体６の収納部を設けた枠体９を装着した構造とすることが好ましく、この場合は複雑な形状にもかかわらず簡単に組み立てて容易に形成できるという利点がある。
【００２０】
図示のものでは、前記ヒンジ部７ａはケース本体１の一側縁に２個突設されており、一方、蓋体２の一側縁にもヒンジ部７ｂが２個突設されている。これらヒンジ部７ａとヒンジ部７ｂには軸芯８が挿通されて、蓋体２が軸芯８を中心に自在に回動するように構成されている。
なお、ケース本体１の他側縁には係止片１ａが設けられ、また、蓋体２の他側縁にも係止片２ａが設けられており、これらの係止片１ａ、２ａを係止させることで蓋体２の密閉状態を確保している。
【００２１】
前記ケース本体１と蓋体２の間には、内蓋３が設けられている。この内蓋３は、前記軸芯８に回動自在に軸支されており、ケース本体１の開口を覆った場合は印鑑収納部４と朱肉用印褥体６を隠ぺいして指紋押印用印褥体５のみを露出させるものである。
前記ケース本体１のヒンジ部７ａ、蓋体２のヒンジ部７ｂ、内蓋３のヒンジ部７ｃは、ケース本体１の一側縁に位置する軸芯８を中心にそれぞれ自在に回動するように構成されており、従って、蓋体２のみを開閉したり、内蓋３のみを開閉したり、あるいは蓋体２と内蓋３の両方の蓋を開閉できる構造となっている（図３、図４を参照）。
【００２２】
前記内蓋３には、図７に示されるように、前記指紋押印用印褥体５に対応した切欠き部３ｂが形成されており、ケース本体１の開口を覆った場合に印鑑収納部４と朱肉用印褥体６を隠ぺいして指紋押印用印褥体５のみを露出する構造となっている。
この結果、蓋体２のみを開けると指紋押印用印褥体５のみを露出した態様とすることができ、この状態から更に内蓋３を開けると、印鑑収納部４と朱肉用印褥体６を新たに露出した態様とすることができる。なお、３ａは内蓋３を開けるための舌片である。
【００２３】
前記印鑑収納部４には、前記内蓋３を開くよう回動したのに連動して前記軸芯８を中心に回動し印鑑Ｓを押し上げるように作動する押上部材１０が設けられている。
これにより、内蓋３を開くと自動的に印鑑Ｓが押し上げられ、印鑑収納部４から飛び出した状態となるので印鑑の引き出しが容易で使い勝手のよいものとなる。
【００２４】
前記押上部材１０は、図８に示されるように、軸芯８を挿通するヒンジ部７ｄと印鑑の胴部を保持する弧状保持部１０ａを有した形状となっている。また、前記ヒンジ部７ｄの軸方向端面には回動規制用の半円状の突起部１０ｂが形成されており、この突起部１０ｂとケース本体１のヒンジ部端面に形成された回動規制用の半円状の突起部１ｂ（図９を参照）が当接することによって、前記押上部材１０の回動が規制されるように構成されている。
【００２５】
図１０は蓋体２を閉めた状態における突起部１ｂ、１０ｂの位置関係を示す説明図であり、図１１は蓋体２を開けた状態における突起部の位置関係を示す説明図である。
前記押上部材１０は、内蓋３の回動に連動して押し上げられるものであるが、無制限に回動する訳ではなく、所定の角度分だけ押し上げられるとそれ以上は回動が制限されるように構成されている。即ち、図１１に示されるように、突起部１０ｂのエッジ面１０ｃが突起部１ｂのエッジ面１ｃに当接すると、押上部材１０の回動が制限され、それ以上の回動ができなくなる。これにより、図１５に示したように、押上部材１０が蓋側に移動するという現象をなくすことができることとなる。
【００２６】
ここで、前記押上部材１０が内蓋３の回動に連動して押し上げられる機構について説明すると、前記押上部材１０のヒンジ部７ｄの外周には、軸方向に凸条１１が形成されており（図１３を参照）、この凸条１１が図７に示されるように、内蓋３のヒンジ部７ｃの軸方向一端に設けた断面が半円弧状の係止片１２の先端に係合し、前記内蓋３の回動に連動して押上部材１０が回動して押し上げられるように構成されている。
従って、押上部材１０は内蓋３の回動に連動して押し上げられるとともに、前記の回動規制機構によって所定の角度のみ回動する構造となっている。
【００２７】
また、内蓋３の回動により押上部材１０が押し上げられた状態を保持しているが、この状態で押上部材１０を下方へ強く押すと、押上部材１０は下方へ回動し、押上部材１０が印鑑収納部内に収納されるように構成されている。
即ち、図１３に示されるように、通常は押上部材１０のヒンジ部７ｄの外周の凸条１１が、内蓋３の係止片１２の先端に設けた凸条１３に係止されて、押上部材１０が押し上げられた状態となっているが、押上部材１０を下方へ強く押すと、図１４に示されるように、内蓋３の係止片１２の先端の凸条１３を乗り越えて下方へ回動し印鑑収納部内に収納されることとなる。この結果、押上部材１０の飛び出しがなくなり破損を防止できるという効果を発揮する。
【００２８】
なお、蓋を閉じる場合は、蓋体２を普通に閉じ方向へ回動するが、内蓋３の舌片３ａが蓋体２と係止状態にあるので内蓋３も同時に閉じ方向へ回動することとなる。この時、図１４に示すように、凸条１３が凸条１１に当たって回動を制止しようとするが、更に力を加えると凸条１３が凸条１１を乗り越えて図１３に示す状態に戻り、その後、更に蓋体２の回動を続けると完全に蓋を閉じた状態とすることができる。
【００２９】
このように構成された印鑑等の収納ケースの使用方法としては、交通警察官が交通規則の違反者を発見し、その場で違反キップを作成する場合に、警察官は所定事項を記入した違反キップを作成した後、これを違反者に確認させる。次いで、違反者の指紋を採取するが、この時、収納ケースの蓋体２のみを開けて指紋押印用印褥体５のみを露出させられるので、指を指紋押印用印褥体５に着けやすく便利である。
【００３０】
次いで、警察官は違反キップに押印してキップ作成作業は完了となる。ここで、警察官は収納ケースの内蓋３を開けて印鑑収納部４と朱肉用印褥体６を新たに露出させる。この時、内蓋３の回動に連動して押上部材１０が所定の角度だけ押し上げられるので、印鑑Ｓを簡単に取り出すことができる。その後は、朱肉をつけて違反キップに押印して迅速に処理することができる。
その後は、蓋体２を閉じれば押上部材１０が回動して下がり、印鑑Ｓが印鑑収納部４に収納されるとともに、内蓋３も同時に回動して閉じられることとなる。
【符号の説明】
【００３１】
１  ケース本体
１ａ  係止片
１ｂ  突起部
１ｃ  エッジ面
２  蓋体
２ａ  係止片
３  内蓋
３ａ  舌片
３ｂ  切欠き部
４  印鑑収納部
５  指紋押印用印褥体
６  朱肉用印褥体
７ａ  ヒンジ部
７ｂ  ヒンジ部
７ｃ  ヒンジ部
７ｄ  ヒンジ部
８  軸芯
９  枠体
１０  押上部材
10ａ  弧状保持部
10ｂ  突起部
10ｃ  エッジ面
１１  凸条
１２  係止片
１３  凸条
Ｓ  印鑑
【図１】
2015134441.tif 000003
【図２】
2015134441.tif 000004
【図３】
2015134441.tif 000005
【図４】
2015134441.tif 000006
【図５】
2015134441.tif 000007
【図６】
2015134441.tif 000008
【図７】
2015134441.tif 000009
【図８】
2015134441.tif 000010
【図９】
2015134441.tif 000011
【図１０】
2015134441.tif 000012
【図１１】
2015134441.tif 000013
【図１２】
2015134441.tif 000014
【図１３】
2015134441.tif 000015
【図１４】
2015134441.tif 000016
【図１５】
2015134441.tif 000017